(57)【要約】【課題】所定のイベント期間が終了しているにもかかわらずイベントの告知をしてしまうような事態を回避し、顧客を混乱させるような事態は生じないようにする。【解決手段】情報処理装置から送信されたメッセージ情報を予め用意されている標準のメッセージである標準メッセージ情報とともに記憶し、メッセージ情報が有効期間内であると判断された場合には（Ｐ１２のＹ）、メッセージ情報をレシート発行の際に印字し（Ｐ１３）、メッセージ情報が有効期間内でないと判断された場合には（Ｐ１２のＮ）、予め用意されている標準メッセージ情報をレシート発行の際に印字する（Ｐ１４）。これにより、所定のイベント期間が終了しているにもかかわらずイベントの告知をしてしまうような事態を回避することができるので、顧客を混乱させるような事態は生じない。【選択図】        図１１
2004355311.tif 000002
【特許請求の範囲】
【請求項１】
情報処理装置に集中管理され、売上処理を行う商品販売データ処理装置において、
前記情報処理装置から送信されたメッセージ情報を受信するメッセージ情報受信手段と、
このメッセージ情報受信手段により受信したメッセージ情報を、予め用意されている標準のメッセージである標準メッセージ情報とともに記憶するメッセージ記憶手段と、
前記メッセージ情報が有効期間内であると判断された場合には前記メッセージ情報をレシート発行の際に印字し、前記メッセージ情報が有効期間内でないと判断された場合には予め用意されている前記標準メッセージ情報をレシート発行の際に印字するメッセージ印字手段と、
を備えることを特徴とする商品販売データ処理装置。
【請求項２】
売上処理を行う商品販売データ処理装置を集中管理し、ホスト装置に対して前記商品販売データ処理装置における売上処理に係る売上データを送信する情報処理装置において、
前記ホスト装置から配信されたイベント情報を受信するイベント情報受信手段と、
このイベント情報受信手段により受信したイベント情報の中から所望のイベント情報の指定を許容するイベント情報指定手段と、
このイベント情報指定手段により指定された前記イベント情報に対応付けられていてレシート発行の際に印字されるメッセージ情報を設定するメッセージ設定手段と、
このメッセージ設定手段により設定された前記メッセージ情報を、前記商品販売データ処理装置に送信するメッセージ情報送信手段と、
前記イベント情報指定手段により指定された前記イベント情報を売上データとともに前記ホスト装置に送信するイベント情報送信手段と、
を備えることを特徴とする情報処理装置。
【請求項３】
売上処理を行う商品販売データ処理装置を管理する情報処理装置に接続され、前記商品販売データ処理装置における売上処理に係る売上データを前記情報処理装置を介して受信するホスト装置において、
イベント情報を前記情報処理装置に対して配信するイベント情報配信手段と、
前記イベント情報の中から前記情報処理装置で指定されている１の前記イベント情報を、前記情報処理装置から売上データとともに受信する指定イベント情報受信手段と、
を備えることを特徴とするホスト装置。
【発明の詳細な説明】
【０００１】
【発明の属する技術分野】
本発明は、商品販売データ処理装置、この商品販売データ処理装置を管理する情報処理装置及びこの情報処理装置に接続されるホスト装置に関する。
【０００２】
【従来の技術】
従来、商品販売データ処理装置であるＰＯＳ（Ｐｏｉｎｔ  ｏｆ  Ｓａｌｅｓ：販売時点管理）端末等においては、印字発行するレシートを広告媒体として捉え、所定のイベント（フェア、ポイントサービス等）に応じた販促メッセージをレシートに印字することにより、各種の広告を行うようにしている（例えば、特許文献１参照）。
【０００３】
【特許文献１】
特開平３−１９１４９６号公報
【０００４】
【発明が解決しようとする課題】
ところで、一般にレシートに印字される販促メッセージは、常に一定の内容であり、事前にメッセージ内容を変更することはできるが、期間毎にメッセージ内容を自動的に変更して印字するようなことはしていない。
【０００５】
したがって、所定のイベントに応じた特定期間のみ有効なメッセージは、その期間が終了した時点で新しいメッセージ（または、通常のメッセージ）に切り替えなければならないが、操作者がそのメッセージの切り替えを忘れてしまうという事態が生じることがある。
【０００６】
このようにメッセージの切り替えを忘れてしまったような場合には、所定のイベント期間が終了しているにもかかわらずイベントの告知をしてしまうことになるので、顧客を混乱させることになる。
【０００７】
また、ＰＯＳ端末における閉店処理時には、前述したようなイベント（フェア、ポイントサービス等）情報を売上データとともに店舗から本部に送信することになるが、このイベント（フェア、ポイントサービス等）情報は手入力されており、入力ミス等が生じることがあり、有効利用されていないのが現状である。
【０００８】
本発明は、所定のイベント期間が終了しているにもかかわらずイベントの告知をしてしまうような事態を回避し、顧客を混乱させるような事態は生じないようにすることを目的とする。
【０００９】
本発明は、売上データとともにホスト装置に送信されるイベント情報を有効利用することができるようにすることを目的とする。
【００１０】
【課題を解決するための手段】
請求項１記載の発明の商品販売データ処理装置は、情報処理装置に集中管理され、売上処理を行う商品販売データ処理装置において、前記情報処理装置から送信されたメッセージ情報を受信するメッセージ情報受信手段と、このメッセージ情報受信手段により受信したメッセージ情報を、予め用意されている標準のメッセージである標準メッセージ情報とともに記憶するメッセージ記憶手段と、前記メッセージ情報が有効期間内であると判断された場合には前記メッセージ情報をレシート発行の際に印字し、前記メッセージ情報が有効期間内でないと判断された場合には予め用意されている前記標準メッセージ情報をレシート発行の際に印字するメッセージ印字手段と、を備える。
【００１１】
したがって、情報処理装置から送信されたメッセージ情報が予め用意されている標準のメッセージである標準メッセージ情報とともに記憶され、メッセージ情報が有効期間内であると判断された場合にはメッセージ情報がレシート発行の際に印字され、メッセージ情報が有効期間内でないと判断された場合には予め用意されている標準メッセージ情報がレシート発行の際に印字される。これにより、所定のイベント期間が終了しているにもかかわらず、イベントの告知をしてしまうような事態を回避することが可能になる。
【００１２】
請求項２記載の発明の情報処理装置は、売上処理を行う商品販売データ処理装置を集中管理し、ホスト装置に対して前記商品販売データ処理装置における売上処理に係る売上データを送信する情報処理装置において、前記ホスト装置から配信されたイベント情報を受信するイベント情報受信手段と、このイベント情報受信手段により受信したイベント情報の中から所望のイベント情報の指定を許容するイベント情報指定手段と、このイベント情報指定手段により指定された前記イベント情報に対応付けられていてレシート発行の際に印字されるメッセージ情報を設定するメッセージ設定手段と、このメッセージ設定手段により設定された前記メッセージ情報を、前記商品販売データ処理装置に送信するメッセージ情報送信手段と、前記イベント情報指定手段により指定された前記イベント情報を売上データとともに前記ホスト装置に送信するイベント情報送信手段と、を備える。
【００１３】
したがって、ホスト装置から配信されたイベント情報の中から所望のイベント情報が指定され、この指定されたイベント情報に対応付けられていてレシート発行の際に印字されるメッセージ情報が設定されて商品販売データ処理装置に送信される。また、指定されたイベント情報は、売上データとともにホスト装置に送信される。これにより、ホスト装置から配信されたイベント情報の中から１のイベント情報が指定されて売上データとともにホスト装置に送信される。また、指定されたイベント情報に対応付けられていてレシート発行の際に印字されるメッセージ情報が、商品販売データ処理装置に対して送信される。
【００１４】
請求項３記載の発明のホスト装置は、売上処理を行う商品販売データ処理装置を管理する情報処理装置に接続され、前記商品販売データ処理装置における売上処理に係る売上データを前記情報処理装置を介して受信するホスト装置において、イベント情報を前記情報処理装置に対して配信するイベント情報配信手段と、前記イベント情報の中から前記情報処理装置で指定されている１の前記イベント情報を、前記情報処理装置から売上データとともに受信する指定イベント情報受信手段と、を備える。
【００１５】
したがって、当該ホスト装置から配信したイベント情報の中から指定された１のイベント情報が、売上データとともに受信される。これにより、イベント情報の検索、集計、分析等の処理が正確かつ簡単になる。
【００１６】
【発明の実施の形態】
本発明の実施の一形態を図１ないし図１２に基づいて説明する。
【００１７】
ここで、図１は情報処理システムＡの全体構成を概略的に示すシステム構成図である。図１に示すように、情報処理システムＡは、複数の店舗を有する流通チェーン本部に設けられるホスト装置１００と各店舗に設けられる店舗システム１とを、例えば専用回線等の通信ネットワークＮで接続することにより構成されている。各店舗に設けられる店舗システム１は、概略的には、商品販売データ処理装置である複数台のＰＯＳ（Ｐｏｉｎｔ  ｏｆ  Ｓａｌｅｓ：販売時点管理）端末２とこれらのＰＯＳ端末２をＬＡＮ３によって接続して集中管理する情報処理装置であるストアコンピュータ４とで構成されている。ストアコンピュータ４は、通信ネットワークＮを介して、流通チェーン本部のホスト装置１００と通信可能とされている。
【００１８】
［店舗システムの説明］
まず、店舗システム１について説明する。ＰＯＳ端末２は、店舗の精算場所に配設されてキャッシャが売上処理を行うためのものであり、図２に示すような構成とされている。ＰＯＳ端末２には、本体１１の上面側にキーボード１２が設けられており、本体１１の下部側にはドロワ１３が引出自在に設けられている。また、本体１１の奥側には表示器１４が設けられている。さらには、磁気カード（図示せず）の読み取りを行うための磁気カードリーダ１５がキーボード１２の脇に並設されている。さらに、ＰＯＳ端末２には、商品コードを光学的に読み取るためのバーコードスキャナ１６も接続されている。
【００１９】
このようなＰＯＳ端末２の電装系は図３に示すように構成されている。ＰＯＳ端末２は、ＣＰＵ（Ｃｅｎｔｒａｌ  Ｐｒｏｃｅｓｓｉｎｇ  Ｕｎｉｔ）、制御プログラムを格納するＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成されるＰＯＳ制御部１７を保有し、バス１９を介して接続された通信インタフェース２０から、ＬＡＮ３を介してストアコンピュータ４との間で相互にオンライン通信を実行し得るように構成されている。
【００２０】
また、ＰＯＳ制御部１７には、バス１９及びＩ／Ｏ機器制御部２１を介して、前述したキーボード１２、表示器１４、磁気カードリーダ１５、バーコードスキャナ１６とともに、プリンタ２２及びハードディスクドライブ装置（ＨＤＤ）１８が接続されている。プリンタ２２は、ＰＯＳ端末２の本体１１内に内蔵されたレシート／ジャーナルプリンタであり、売上処理に伴い、取引単位でレシートを発行するとともに、並行してジャーナル用紙への印字を行うものである。
【００２１】
ハードディスクドライブ装置（ＨＤＤ）１８には、ＰＯＳ制御部１７のＣＰＵを動作させる制御プログラムの他、商品マスタファイルＦ１、ＰＯＳ売上ファイルＦ２、メッセージファイルＦ３等が格納されている。商品マスタファイルＦ１は、商品コードに対応付けて商品名や単価を記憶するものである。ＰＯＳ売上ファイルＦ２は、当該ＰＯＳ端末２における売上データを記憶するものである。メッセージファイルＦ３は、ＰＯＳ端末２のプリンタ２２から発行されるレシートに印字されるメッセージ情報及びそのメッセージの有効期間を記憶するものである。
【００２２】
ＰＯＳ制御部１７は、ＣＰＵがハードディスクドライブ装置（ＨＤＤ）１８に記憶されている制御プログラムに従って動作することにより、後述する各種の機能を実現する。
【００２３】
一方、店舗システム１を構成するストアコンピュータ４は、店舗システム１全体の制御を受持ち、その電装系は、例えば、図４に示すような構成とされている。ストアコンピュータ４は、ＣＰＵ、ＲＯＭ、ＲＡＭ等で構成される制御部２３を保有し、バス２５を介して接続された通信インタフェース２６から、ＬＡＮ３を介して複数台のＰＯＳ端末２との間で相互にオンライン通信を実行し得るように構成されている。また、通信インタフェース２６は、通信ネットワークＮを介して流通チェーン本部のホスト装置１００との間で相互にオンライン通信を実行し得るように構成されている。さらに、制御部２３にはバス２５及びＩ／Ｏ機器制御部２７を介して、キーボード２８、表示器２９、プリンタ３０及びハードディスクドライブ装置（ＨＤＤ）２４が接続されている。
【００２４】
ハードディスクドライブ装置（ＨＤＤ）２４には、制御部２３のＣＰＵを動作させる制御プログラムの他、商品マスタファイルＦ１１、店舗売上ファイルＦ１２、イベント情報ファイルＦ１３等が格納されている。商品マスタファイルＦ１１は、商品コードに対応付けて商品名や単価を記憶するものであり、ＰＯＳ端末２のハードディスクドライブ装置（ＨＤＤ）１８に格納されている商品マスタファイルＦ１と同一性が保たれている。店舗売上ファイルＦ１２は、各ＰＯＳ端末２から送信される売上データ、及び各ＰＯＳ端末２から送信される売上データを集計した店舗売上データを記憶するものである。イベント情報ファイルＦ１３は、特売等のイベント情報を記憶するものである。ここで、図５はイベント情報ファイルＦ１３のデータ構成を模式的に示す説明図である。イベント情報ファイルＦ１３は、図５に示すように、全店舗に共通のユニークなイベントコードに対応付けてイベント情報を記憶するものである。また、図５に示すように、イベント情報には、当該イベント情報に関連してＰＯＳ端末２のプリンタ２２から発行されるレシートに印字されるメッセージ情報とそのメッセージの有効期間とが対応付けられている。詳細は後述するが、このイベント情報ファイルＦ１３は、流通チェーン本部のホスト装置１００からの指示により適宜更新される。
【００２５】
制御部２３は、ＣＰＵがハードディスクドライブ装置（ＨＤＤ）２４に記憶されている制御プログラムに従って動作することにより、後述する各種の機能を実現する。
【００２６】
以上のようなＰＯＳ端末２とストアコンピュータ４とを主体に構成される店舗システム１の売上処理の際の動作について簡単に説明する。例えば商品に付された商品コードがＰＯＳ端末２のバーコードスキャナ１６によって読み取られると、読み取られた商品コードに基づいて商品マスタファイルＦ１が検索され、該当する商品コードに対応した商品名や単価等が読み出されて、売上処理や表示器１４への表示、またプリンタ２２によりレシート発行が行われるとともに、売上データがＰＯＳ売上ファイルＦ２に累計される。また、ＰＯＳ売上ファイルＦ２に累計された売上データは、所定のタイミングでストアコンピュータ４に送信される。さらに、ＰＯＳ端末２から売上処理した売上データを送信されたストアコンピュータ４側では、各ＰＯＳ端末２からの売上データを店舗売上ファイルＦ１２に記憶するとともに、各ＰＯＳ端末２から送信された売上データを集計した店舗売上データを店舗売上ファイルＦ１２に記憶する。このように店舗売上ファイルＦ１２に記憶された店舗売上データは、所定のタイミング（例えば、精算処理時）で流通チェーン本部のホスト装置１００に送信される。
【００２７】
［流通チェーン本部のホスト装置１００］
続いて、流通チェーン本部のホスト装置１００について説明する。ホスト装置１００は、一般的なコンピュータと同様の構成とされているものである。ホスト装置１００の電装系は、例えば、図６に示すような構成とされている。ホスト装置１００は、ＣＰＵ、ＲＯＭ、ＲＡＭ等で構成される制御部３１を保有し、バス３３を介して接続された通信インタフェース３２から、通信ネットワークＮを介して店舗システム１を構成するストアコンピュータ４との間で相互にオンライン通信を実行し得るように構成されている。また、制御部３１にはバス３３及びＩ／Ｏ機器制御部３４を介して、キーボード３５、表示器３６、プリンタ３７及びハードディスクドライブ装置（ＨＤＤ）３８が接続されている。
【００２８】
ハードディスクドライブ装置（ＨＤＤ）３８には、制御部３１のＣＰＵを動作させる制御プログラムの他、売上ファイルＦ２１、イベント情報ファイルＦ２２等が格納されている。売上ファイルＦ２１は、各店舗のストアコンピュータ４から送信される店舗売上データを記憶するものである。イベント情報ファイルＦ２２は、特売等のイベント情報を記憶するものであり、ストアコンピュータ４のハードディスクドライブ装置（ＨＤＤ）２４に格納されているイベント情報ファイルＦ１３（図５参照）と同一性が保たれている。
【００２９】
制御部３１は、ＣＰＵがハードディスクドライブ装置（ＨＤＤ）３８に記憶されている制御プログラムに従って動作することにより、後述する各種の機能を実現する。
【００３０】
［情報処理システムＡが備える特長的な機能の説明］
次に、本実施の形態の情報処理システムＡが備える特長的な機能について以下において詳細に説明する。なお、従来から行われている処理と同様の処理についてはその説明を省略する。ここでは、本実施の形態の情報処理システムＡが備える特長的な機能を実現するイベント情報設定処理、イベント情報選択処理、メッセージ設定処理、メッセージ印字処理及びイベント情報送信処理について説明する。
【００３１】
［イベント情報設定処理の説明］
まず、イベント情報設定処理について説明する。ここで、図７は情報処理システムＡにおけるイベント情報設定処理の流れを示すフローチャートである。図７に示すように、流通チェーン本部のホスト装置１００においてイベント情報ファイルＦ２２の内容を変更するメンテナンス処理が実行されると（ステップＳ１）、イベント情報メンテファイルが作成され（ステップＳ２）、作成されたイベント情報メンテファイルが各店舗のストアコンピュータ４に送信される（ステップＳ３：イベント情報配信手段）。
【００３２】
各店舗のストアコンピュータ４は、流通チェーン本部のホスト装置１００から送信されたイベント情報メンテファイルを受信すると（ステップＴ１：イベント情報受信手段）、イベント情報メンテファイルに基づいてハードディスクドライブ装置（ＨＤＤ）２４に格納されているイベント情報ファイルＦ１３を更新する（ステップＴ２）。これにより、流通チェーン本部のホスト装置１００のハードディスクドライブ装置（ＨＤＤ）３８に格納されているイベント情報ファイルＦ２２とストアコンピュータ４のハードディスクドライブ装置（ＨＤＤ）２４に格納されているイベント情報ファイルＦ１３との同一性を保つことができる。
【００３３】
［イベント情報選択処理の説明］
次に、イベント情報選択処理について説明する。ここで、図８は各店舗のストアコンピュータ４におけるイベント情報選択処理の流れを示すフローチャートである。図８に示すように、ストアコンピュータ４のハードディスクドライブ装置（ＨＤＤ）２４に格納されているイベント情報ファイルＦ１３の内容を表示器２９に一覧表示し（ステップＴ１１）、キーボード２８等の操作により１のイベント情報の選択が有ったと判断すると（ステップＴ１２：イベント情報指定手段）、選択されたイベント情報に対応付けられているイベントコードを制御部２３のＲＡＭ等に記憶する（ステップＴ１３）。
【００３４】
加えて、イベント情報に対応付けられているメッセージ情報及びメッセージ有効期間が、ストアコンピュータ４からＬＡＮ３を介して接続されている各ＰＯＳ端末２に対して配信される（ステップＴ１４：メッセージ設定手段、メッセージ情報送信手段）。
【００３５】
このように、本実施の形態においては、全店舗に共通した名称になっているイベント情報が表示器２９に一覧表示され、操作者はその表示器２９に一覧表示された中から１のイベント情報を選択すれば良いので、同じイベントでも各店舗の操作者によって異なる名称になることはなく、操作者の入力作業が簡略化される。また、入力ミスが生じることも無くなる。
【００３６】
［メッセージ設定処理の説明］
次に、メッセージ設定処理について説明する。ここで、図９は各店舗のＰＯＳ端末２におけるメッセージ設定処理の流れを示すフローチャートである。図９に示すように、各ＰＯＳ端末２は、ストアコンピュータ４からＬＡＮ３を介して配信されたイベント情報に対応付けられているメッセージ情報及びメッセージ有効期間を受信すると（ステップＰ１のＹ：メッセージ情報受信手段）、受信したメッセージ情報及びメッセージ有効期間を設定する（ステップＰ２：メッセージ記憶手段）。ここで、図１０はメッセージテーブルＴのデータ構成を模式的に示す説明図である。ＰＯＳ端末２のハードディスクドライブ装置（ＨＤＤ）１８に格納されているメッセージファイルＦ３の内容はＰＯＳ端末２の起動時、ＲＡＭのメッセージテーブルＴに書き込まれる。ストアコンピュータ４からＬＡＮ３を介して配信されたイベント情報に対応付けられているメッセージ情報及びメッセージ有効期間を受信した場合には、図１０に示すように、メッセージテーブルＴには、ストアコンピュータ４からＬＡＮ３を介して配信されたイベント情報に対応付けられているメッセージ情報及びメッセージ有効期間（Ｎｏ．１）と、企画が存在しない場合のベースのメッセージ情報及びメッセージ有効期間（Ｎｏ．０）とが設定されている。
【００３７】
［メッセージ印字処理の説明］
続いて、メッセージ印字処理について説明する。ここで、図１１はＰＯＳ端末２におけるメッセージ印字処理の流れを示すフローチャートである。このメッセージ印字処理は、前述した売上処理の際のプリンタ２２によるレシート発行の際に実行されるものである。図１１に示すように、メッセージ印字処理は、日付及び時刻を取得した後（ステップＰ１１）、Ｎｏ．１のメッセージ情報の有効期間であるか否かを判断する（ステップＰ１２）。
【００３８】
取得した日付及び時刻がＮｏ．１のメッセージ情報の有効期間である場合には（ステップＰ１２のＹ）、Ｎｏ．１のメッセージをプリンタ２２により印字する（ステップＰ１３）。
【００３９】
一方、取得した日付及び時刻がＮｏ．１のメッセージ情報の有効期間でない場合には（ステップＰ１２のＮ）、Ｎｏ．０のベースメッセージをプリンタ２２により印字する（ステップＰ１４）。
【００４０】
このようなステップＰ１２〜Ｐ１４の処理により、メッセージ印字手段の機能が実行される。
【００４１】
ここで、図１２は発行されたレシートＲの一例を示す平面図である。図１２に示すように、レシートＲには、メッセージｍが印字されている。例えば、ストアコンピュータ４で選択されたイベント情報が「バレンタインデー」に係るものであり、有効期間内である場合には、図１２に示すように、“バレンタインセール実施中”というメッセージｍがラインプリンタ２２により印字用紙に印字される。これにより、購入者はキャンペーン実施中であることを知ることができるようになる。
【００４２】
なお、ストアコンピュータ４で選択されたイベント情報が「バレンタインデー」に係るものであっても、有効期限が過ぎてしまっている場合やストアコンピュータ４で選択されたイベント情報が「イベントなし」であった場合には、Ｎｏ．０のベースメッセージが印字されることになる。
【００４３】
［イベント情報送信処理の説明］
最後に、イベント情報送信処理について説明する。前述したように、ストアコンピュータ４の店舗売上ファイルＦ１２に記憶された店舗売上データは、所定のタイミング（例えば、精算処理時）で流通チェーン本部のホスト装置１００に送信されることになるが、本実施の形態においては、店舗売上データに加えて、ステップＴ１３で記憶した選択されたイベント情報に対応付けられているイベントコードを流通チェーン本部のホスト装置１００に送信するようにしたものである。ここに、ストアコンピュータ４におけるイベント情報送信手段の機能が実行される。
【００４４】
これにより、店舗で選択したイベント情報は売上データとともに本部へと送信され、このイベント情報を受信したホスト装置１００においては、売上に影響を与えた要因として各種分析に使用される。ここに、ホスト装置１００における指定イベント情報受信手段の機能が実行される。また、各イベント情報には、全店舗共通のイベントコードが付加されるため、流通チェーン本部のホスト装置１００における検索、集計、分析等の処理が正確かつ簡単になる。
【００４５】
このように本実施の形態のストアコンピュータ４においては、ホスト装置１００から配信されたイベント情報の中から所望のイベント情報が指定され、この指定されたイベント情報に対応付けられていてレシート発行の際に印字されるメッセージ情報が設定されてＰＯＳ端末２に送信される。また、指定されたイベント情報は、売上データとともにホスト装置１００に送信される。これにより、ホスト装置１００から配信されたイベント情報の中から１のイベント情報が指定されて売上データとともにホスト装置１００に送信される。また、指定されたイベント情報に対応付けられていてレシート発行の際に印字されるメッセージ情報が、ＰＯＳ端末２に対して送信される。
【００４６】
また、本実施の形態のホスト装置１００においては、当該ホスト装置１００から配信したイベント情報の中から指定された１のイベント情報が、売上データとともに受信される。これにより、イベント情報の検索、集計、分析等の処理が正確かつ簡単になるので、イベント情報を有効利用することができる。
【００４７】
さらに、本実施の形態のＰＯＳ端末２においては、ストアコンピュータ４から送信されたメッセージ情報が予め用意されている標準のメッセージである標準メッセージ情報とともに記憶され、メッセージ情報が有効期間内であると判断された場合にはメッセージ情報がレシート発行の際に印字され、メッセージ情報が有効期間内でないと判断された場合には予め用意されている標準メッセージ情報がレシート発行の際に印字される。これにより、所定のイベント期間が終了しているにもかかわらずイベントの告知をしてしまうような事態を回避することができるので、顧客を混乱させるような事態は生じない。
【００４８】
【発明の効果】
本発明によれば、売上データとともにホスト装置に送信されるイベント情報を有効利用することができるとともに、所定のイベント期間が終了しているにもかかわらずイベントの告知をしてしまうような事態を回避することができるので、顧客を混乱させるような事態は生じない。
【図面の簡単な説明】
【図１】本発明の実施の一形態の情報処理システムの全体構成を概略的に示すシステム構成図である。
【図２】ＰＯＳ端末を概略的に示す外観斜視図である。
【図３】ＰＯＳ端末の電装系を示すブロック図である。
【図４】ストアコンピュータの電装系を示すブロック図である。
【図５】イベント情報ファイルのデータ構成を模式的に示す説明図である。
【図６】ホスト装置の電装系を示すブロック図である。
【図７】情報処理システムにおけるイベント情報設定処理の流れを示すフローチャートである。
【図８】ストアコンピュータにおけるイベント情報選択処理の流れを示すフローチャートである。
【図９】ＰＯＳ端末におけるメッセージ設定処理の流れを示すフローチャートである。
【図１０】メッセージテーブルのデータ構成を模式的に示す説明図である。
【図１１】ＰＯＳ端末におけるメッセージ印字処理の流れを示すフローチャートである。
【図１２】発行されたレシートの一例を示す平面図である。
【符号の説明】
２…商品販売データ処理装置、４…情報処理装置、１００…ホスト装置
【図１】
2004355311.tif 000003
【図２】
2004355311.tif 000004
【図３】
2004355311.tif 000005
【図４】
2004355311.tif 000006
【図５】
2004355311.tif 000007
【図６】
2004355311.tif 000008
【図７】
2004355311.tif 000009
【図８】
2004355311.tif 000010
【図９】
2004355311.tif 000011
【図１０】
2004355311.tif 000012
【図１１】
2004355311.tif 000013
【図１２】
2004355311.tif 000014